(57)【要約】【課題】  パスワード無しで、近隣世帯間での情報共有を可能にする。【解決手段】  電力線通信（ＰＬＣ）モデム２２Ａは、電力線通信のプロトコルに従い認識できる他のＰＬＣモデムの識別情報を記憶する。電子機器２４Ａは、共有すべき情報をサーバ４４にアップロードする際に同時に、ＰＬＣモデム２２Ａ及び認識する他のＰＬＣモデムの識別情報のリストをサーバ４４に送信する。サーバ４４は、電子機器２４Ａからの共有情報４４Ａと、ＰＬＣモデムの識別情報のリスト４４Ｂを相互に関連付けて記憶する。ユーザＢが電子機器２８Ｂを使ってサーバ４４に共有情報４４Ａを要求するとき、ＰＬＣモデム２６Ｂの識別情報を送信する。サーバ４４は、要求に含まれるＰＬＣモデム２６Ｂの識別情報が、要求された情報にリンクされた識別情報リストに含まれている場合、要求された情報を電子機器２８Ｂに送信する。【選択図】  図１
2008085763.tif 000002
【特許請求の範囲】
【請求項１】
第１の電力線通信モデム（２２Ａ）を介して共有情報をサーバにアップロードする第１の電子機器（２４Ａ）と、
第２の電力線通信モデム（２６Ｂ）を介して当該サーバの当該共有情報を要求する第２の電子機器（２８Ｂ）
とを具備するデータ伝送システムであって、
当該第１の電子機器が、当該共有情報を当該サーバにアップロードするとき、当該共有情報の関連情報として、当該第１の電力線通信モデム（２２Ａ）が電力線通信に従い認識可能な他の電力線通信モデムの識別情報のリストを当該サーバに送信する機能を具備し、
当該サーバが、当該共有情報の要求に対し、当該要求に付加される電力線通信モデムの識別情報が、当該共有情報の当該関連情報に含まれる場合に、当該共有情報を要求元に送信する機能を具備する
ことを特徴とするデータ伝送システム。
【請求項２】
第１の電力線通信モデム（２２Ａ）を介して共有情報をサーバにアップロードする第１の電子機器（２４Ａ）と、
第２の電力線通信モデム（２６Ｂ）を介して当該サーバの当該共有情報を要求する第２の電子機器（２８Ｂ）
とを具備するデータ伝送システムであって、
当該第１の電子機器が、当該共有情報を当該サーバにアップロードするとき、当該共有情報の関連情報として、当該第１の電力線通信モデム（２２Ａ）の識別情報を当該サーバに送信する機能を具備し、
当該第２の電子機器は、当該サーバに当該共有情報を要求する際に、当該第２の電力線通信モデム（２６Ｂ）が電力線通信に従い認識可能な他の電力線通信モデムの識別情報のリストを当該サーバに送信し、
当該サーバは、当該共有情報の要求に対し、当該関連情報の電力線通信モデムの識別情報が、当該識別情報のリストに含まれる場合に、当該共有情報を要求元に送信する機能を具備する
ことを特徴とするデータ伝送システム。
【請求項３】
共有情報を配信するサーバであって、
共有情報（４４Ａ）と、当該共有情報の関連情報として、当該共有情報の送信元に接続する電力線通信モデムが電力線通信に従い認識可能な他の電力線通信モデムの識別情報のリスト（４４Ｂ）を記憶する手段と、
当該共有情報の要求に対し、当該要求に付加される電力線通信モデムの識別情報が当該共有情報の当該リストに含まれる場合に、当該共有情報を要求元に送信する手段
とを具備することを特徴とするサーバ。
【請求項４】
共有情報を配信するサーバであって、
共有情報と、当該共有情報の関連情報として、当該共有情報の送信元に接続する電力線通信モデムの識別情報を記憶する手段と、
当該共有情報の要求に対し、当該要求に付加される電力線通信モデムの識別情報のリストが当該共有情報の関連情報の識別情報を含む場合に、当該共有情報を要求元に送信する手段
とを具備することを特徴とするサーバ。
【発明の詳細な説明】
【技術分野】
【０００１】
本発明は、データ伝送システム及びサーバに関し、より具体的には、近距離のユーザ間で手軽にデータを要求できるデータ伝送システム及びサーバに関する。
【背景技術】
【０００２】
最近、電力線通信ネットワークの実用化が期待されている。例えば集合住宅の電力線通信システムでは、共通の電力線に接続されている複数の世帯間では、電力線信号が共有される。
【０００３】
集合住宅などにおける情報共有手段として、ＷＷＷ（World Wide Web）又は共有ファイルサーバ等による情報配信がある。しかし、通常、このような情報共有方式では、予めパスワード等を設定する必要がある。パスワード等の配布及び管理をする必要があるのと、機器等の操作に慣れていないユーザには取り扱いが難しい。
【０００４】
特許文献１には、リモートアクセスによる異なるネットワークドメイン間の通信において、アプリケーションレベルの情報と、関連する物理層電力線搬送通信フレームとの間の双方向変換を行う方法が提案されている。
【特許文献１】特表２００５−５１２３８７号公報
【発明の開示】
【発明が解決しようとする課題】
【０００５】
物理的に近距離に所在する世帯間で、回覧板のように簡易に情報を共有したいとする要望がある。
【０００６】
本発明は、電力線通信の特異性に注目し、ユーザによるパスワード入力無しでこのような要望を簡易に実現するデータ伝送システム及びサーバを提示することを目的とする。
【課題を解決するための手段】
【０００７】
本発明に係るデータ伝送システムは、第１の電力線通信モデムを介して共有情報をサーバにアップロードする第１の電子機器と、第２の電力線通信モデムを介して当該サーバの当該共有情報を要求する第２の電子機器とを具備するデータ伝送システムであって、当該第１の電子機器が、当該共有情報を当該サーバにアップロードするとき、当該共有情報の関連情報として、当該第１の電力線通信モデムが電力線通信に従い認識可能な他の電力線通信モデムの識別情報のリストを当該サーバに送信する機能を具備し、当該サーバが、当該共有情報の要求に対し、当該要求に付加される電力線通信モデムの識別情報が、当該共有情報の当該関連情報に含まれる場合に、当該共有情報を要求元に送信する機能を具備することを特徴とする。
【０００８】
本発明に係るデータ伝送システムは、第１の電力線通信モデムを介して共有情報をサーバにアップロードする第１の電子機器と、第２の電力線通信モデムを介して当該サーバの当該共有情報を要求する第２の電子機器とを具備するデータ伝送システムであって、当該第１の電子機器が、当該共有情報を当該サーバにアップロードするとき、当該共有情報の関連情報として、当該第１の電力線通信モデムの識別情報を当該サーバに送信する機能を具備し、当該第２の電子機器は、当該サーバに当該共有情報を要求する際に、当該第２の電力線通信モデムが電力線通信に従い認識可能な他の電力線通信モデムの識別情報のリストを当該サーバに送信し、当該サーバは、当該共有情報の要求に対し、当該関連情報の電力線通信モデムの識別情報が、当該識別情報のリストに含まれる場合に、当該共有情報を要求元に送信する機能を具備することを特徴とする。
【０００９】
本発明に係るサーバは、共有情報を配信するサーバであって、共有情報と、当該共有情報の関連情報として、当該共有情報の送信元に接続する電力線通信モデムが電力線通信に従い認識可能な他の電力線通信モデムの識別情報のリスト（４４Ｂ）を記憶する手段と、当該共有情報の要求に対し、当該要求に付加される電力線通信モデムの識別情報が当該共有情報の当該リストに含まれる場合に、当該共有情報を要求元に送信する手段とを具備することを特徴とする。
【００１０】
本発明に係るサーバは、共有情報を配信するサーバであって、共有情報と、当該共有情報の関連情報として、当該共有情報の送信元に接続する電力線通信モデム（２２Ａ）の識別情報を記憶する手段と、当該共有情報の要求に対し、当該要求に付加される電力線通信モデムの識別情報のリストが当該共有情報の関連情報の識別情報を含む場合に、当該共有情報を要求元に送信する手段とを具備することを特徴とする。
【発明の効果】
【００１１】
本発明によれば、パスワード入力等の複雑な作業を必要とせず、必要な情報を電力線で接続されている対象者に送信することが可能となる。
【発明を実施するための最良の形態】
【００１２】
以下、図面を参照して、本発明の実施例を詳細に説明する。
【００１３】
図１は、本発明の一実施例の概略構成ブロック図を示す。電力線１０には、ユーザＡの宅内ネットワーク２０Ａと、ユーザＢの宅内ネットワーク２０Ｂが接続する。ユーザＡ，Ｂは、例えば、同一マンション内の異なる住戸に居住する住民である。
【００１４】
宅内ネットワーク２０Ａは、次のようになっている。電力線１０から分岐した電力線１２Ａのコンセント１４Ａには電力線通信（ＰＬＣ）モデム２２Ａを介して電子機器２４Ａが接続し、コンセント１６ＡにはＰＬＣモデム２６Ａを介して電子機器２８Ａが接続し、コンセント１８ＡにはＰＬＣモデム３０Ａを介してゲートウエイ３２Ａが接続する。電子機器２４Ａ，２６Ａ及びゲートウエイ３２Ａは、ＰＬＣモデム２２Ａ，２６Ａ，３０Ａ及び電力線１２Ａを介して、相互に通信可能なＩＰネットワークの宅内ネットワーク（ＬＡＮ）を構成する。このＬＡＮを使ったデータ通信は、ＩＰレイヤ又はアプリケーションレイヤでは、ゲートウエイ３２Ａを介する場合を除いて、ユーザＡの宅内の機器に限定されている。
【００１５】
同様に、宅内ネットワーク２０Ｂは、次のようになっている。電力線１０から分岐した電力線１２Ｂのコンセント１４ＢにはＰＬＣモデム２２Ｂを介して電子機器２４Ｂが接続し、コンセント１６ＢにはＰＬＣモデム２６Ｂを介して電子機器２８Ｂが接続し、コンセント１８ＢにはＰＬＣモデム３０Ｂを介してゲートウエイ３２Ｂが接続する。電子機器２４Ｂ，２６Ｂ及びゲートウエイ３２Ｂは、ＰＬＣモデム２２Ｂ，２６Ｂ，３０Ｂ及び電力線１２Ｂを介して、相互に通信可能なＩＰネットワークの宅内ネットワーク（ＬＡＮ）を構成する。このＬＡＮを使ったデータ通信は、ＩＰレイヤ又はアプリケーションレイヤでは、ゲートウエイ３２Ｂを介する場合を除いて、ユーザＡの宅内の機器に限定されている。
【００１６】
電子機器２４Ａ，２８Ａ，２４Ｂ，２８Ｂは、例えば、コンピュータであり、サーバ又はクライアントである。
【００１７】
ゲートウエイ３２Ａは、光ファイバ又はＡＤＳＬ回線、及びインターネットサービスプロバイダ（ＩＳＰ）４０Ａの接続サービスを介してインターネット４２に接続し、同様に、ゲートウエイ３２Ｂは、光ファイバ又はＡＤＳＬ回線、及びインターネットサービスプロバイダ（ＩＳＰ）４０Ｂの接続サービスを介してインターネット４２に接続する。インターネット４２には、ユーザＡが情報をアップロード可能なＷＷＷサーバ４４が接続されている。
【００１８】
ユーザＡの宅内ネットワーク２０ＡとユーザＢの宅内ネットワーク２０Ｂが、物理的に近距離に位置する場合、より正確には、電力線１０に沿った距離で近くに位置する場合、ＰＬＣモデム２２Ａ，２６Ａ，３０Ａ，２２Ｂ，２６Ｂ，３０Ｂは、電力線通信の性能上、相互に他の存在を認識でき、その結果、ユーザＡの宅内ネットワーク２０ＡのＰＬＣモデム２２Ａ，２６Ａ，３０Ａは、電力線通信のレイヤ上では、電力線１０を介して、ユーザＢの宅内ネットワーク２０ＢのＰＬＣモデム２２Ｂ，２６Ｂ，３０Ｂとの間で制御信号を通信できる。本実施例では、この機能を利用して、物理的に近距離のユーザ間で情報を簡易に共有できるようにする。
【００１９】
図２は、ＰＬＣモデム２２Ａ，２６Ａ，３０Ａ，２２Ｂ，２６Ｂ，３０Ｂの概略構成ブロック図を示す。電力線プラグ５０とＬＡＮポート５２との間に、ＰＬＣインターフェース５４が接続される。ＰＬＣインターフェース５４は、電力線プラグ５０からの電力線通信信号をＬＡＮ信号に変換してＬＡＮポート５２に供給し、ＬＡＮポート５２からのＬＡＮ信号を電力線通信信号に変換して電力線プラグ５０に供給する。制御装置５６は、他のＰＬＣモデムとの通信に使用する方式等を決定するが、本実施例では、特に、少なくとも制御信号を通信できる他のＰＬＣモデムを特定する識別情報（例えば、ＭＡＣアドレス等）をＰＬＣインターフェース５４から受け取り、メモリ５８に格納する。制御回路５６はまた、ＬＡＮポート５２に接続する電子機器からの要求に応じて、メモリ５８に格納される他のＰＬＣモデムの識別情報を、ＬＡＮポート５２に接続する電子機器に通知する。
【００２０】
ここで、ユーザＡの電子機器２４Ａが近隣世帯間で共有すべき情報をサーバ４４にアップロードし、その情報をユーザＢが、電子機器２８Ｂにより閲覧するケースを例に、本実施例の動作を説明する。図３は、その動作フローを示す。
【００２１】
ユーザＡは、電子機器２４Ａを使って、近隣世帯で共有すべき情報をサーバ４４にアップロードする。電子機器２４Ａは、アップロードの前に予め、接続するＰＬＣモデム２２Ａの識別情報と、ＰＬＣモデム２２Ａが認識している他のＰＬＣモデムの識別情報（図１に示す例では、ＰＬＣモデム２６Ａ，３０Ａ，２４Ｂ，２６Ｂ，３０Ｂの識別情報）をＰＬＣモデム２２Ａから取得しておく。そして、共有すべき情報をサーバ４４にアップロードする際に同時に、電子機器２４Ａは、ＰＬＣモデム２２Ａの識別情報及び他のＰＬＣモデムの識別情報のリストをサーバ４４に送信する。
【００２２】
ＷＷＷサーバ４４は、ユーザＡからの共有情報４４Ａと、ＰＬＣモデムの識別情報のリスト４４Ｂを相互に関連付けて記憶する。
【００２３】
この状態で、ユーザＢが、例えば、電子機器２８Ｂを使ってＷＷＷサーバ４４にアクセスに、共有情報の転送を要求したとする。この要求には、電子機器２８Ｂが接続するＰＬＣモデム２６Ｂの識別情報を含める。
【００２４】
ＷＷＷサーバ４４は、ユーザＢの電子機器２８Ｂからの要求に含まれるＰＬＣモデム２６Ｂの識別情報が、要求された情報にリンクされた識別情報リスト４４Ｂに含まれているかどうかを調べ、含まれている場合には、要求された情報を電子機器２８Ｂに送信し、含まれていない場合には、要求された情報を電子機器２８Ｂに送信しない。本実施例では、ＰＬＣモデム２６Ｂの識別情報がリスト４４Ｂに格納されているので、情報４４Ａが、電子機器２８Ｂに送信される。即ち、ユーザＢは、パスワードを入力することも、事前に設定することも無しに、近隣で共有する情報４４Ａに閲覧できる。
【００２５】
ＰＬＣモデム２６Ａが認識できない程、遠くに位置するＰＬＣモデムを使用するユーザが、ＷＷＷサーバ４４にアクセスしても、ＷＷＷサーバ４４は、情報４４Ａをこのユーザに送信しない。
【００２６】
ＷＷＷサーバで説明したが、より一般的なＦＴＰサーバ又は共有ファイルサーバでも、同様である。
【００２７】
本実施例では、情報をアップロードする側が、周囲の認識可能なＰＬＣモデムの識別情報をサーバ４４に送信したが、この逆でもよい。即ち、情報をアップロードする側は、使用するＰＬＣモデムの識別情報を、共有情報と一緒にサーバ４４に送信する。情報を要求する側は、共有情報を要求する信号に、周囲の認識可能なＰＬＣモデムの識別情報のリストを付加する。サーバは、要求信号に付加された識別情報リストに、情報発信元のＰＬＣモデムの識別情報が含まれている場合にのみ、要求に応じて情報を送信する。
【００２８】
異なるネットワークのユーザ間での情報共有の例を説明したが、本発明は、同一ネットワークにおける外部情報の共有に利用可能である。例えば、教室等内での外部サーバを用いた情報共有についても有用である。
【００２９】
特定の説明用の実施例を参照して本発明を説明したが、特許請求の範囲に規定される本発明の技術的範囲を逸脱しないで、上述の実施例に種々の変更・修整を施しうることは、本発明の属する分野の技術者にとって自明であり、このような変更・修整も本発明の技術的範囲に含まれる。
【図面の簡単な説明】
【００３０】
【図１】本発明の一実施例の概略構成ブロック図である。
【図２】本実施例のＰＬＣモデムの概略構成ブロック図である。
【図３】本実施例の動作フローチャートである。
【符号の説明】
【００３１】
１０：電力線
１２Ａ，１２Ｂ：電力線
１４Ａ，１４Ｂ：コンセント
１６Ａ，１６Ｂ：コンセント
１８Ａ，１８Ｂ：コンセント
２２Ａ，２２Ｂ：電力線通信（ＰＬＣ）モデム
２４Ａ，２４Ｂ：電子機器
２６Ａ，２６Ｂ：電力線通信（ＰＬＣ）モデム
２８Ａ，２８Ｂ：電子機器
３０Ａ，３０Ｂ：電力線通信（ＰＬＣ）モデム
３２Ａ，３２Ｂ：ゲートウエイ
４０Ａ，４０Ｂ：インターネットサービスプロバイダ
４２：インターネット
４４：ＷＷＷサーバ
４４Ａ：共有情報
４４Ｂ：識別情報リスト
【図１】
2008085763.tif 000003
【図２】
2008085763.tif 000004
【図３】
2008085763.tif 000005